(57)【要約】      （修正有）【課題】映像データ等の高周波信号及び音声データ等の低周波信号が重畳された多重化データ信号から高周波信号及び低周波信号を分岐させる信号分岐器の回路構成を簡素化させてコスト低減及び小型化を可能とする。【解決手段】終端抵抗６で終端される２線の伝送線路Ｌ2を経由して伝送される多重化データ信号から高周波信号及び低周波信号を信号分岐器５ａ、５a、・・・、５ｂ、５ｂ、・・・で分岐させるにあたり、２線にそれぞれ接続され多重化データ信号が平衡伝送される一対の信号分岐用トランス５３ａ、５４ａ、５３ｂ、５４ｂを方向性結合器Ａ、Ｂで構成することによって、高周波信号は、トランスの巻数比で設定されるカップリング量に対応したレベルの信号で分岐する一方、低周波信号は、トランスの巻線を経由して方向性結合器のアイソレーション端子又は接地端子から分岐する。【選択図】図２
2014195219.tif 000002
【特許請求の範囲】
【請求項１】
映像データ等の高周波信号及び音声データ等の低周波信号が重畳された多重化データ信号が伝送される伝送線路上に設けられ、前記多重化データ信号から前記高周波信号及び前記低周波信号を分岐させる信号分岐器であって、
前記伝送線路は、終端抵抗で終端される２線で構成され、
前記２線にそれぞれ接続され前記多重化データ信号が平衡伝送される一対の信号分岐用トランスを備え、前記一対の信号分岐用トランスは、前記高周波信号に対しては一方向、前記低周波信号に対しては双方向で伝送する方向性結合器を構成し、
前記高周波信号は、前記トランスの巻数比で設定されるカップリング量に対応したレベルの信号で分岐され、
前記低周波信号は、前記トランスの巻線を経由して前記方向性結合器のアイソレーション端子から分岐されることを特徴とする信号分岐器。
【請求項２】
映像データ等の高周波信号及び音声データ等の低周波信号が重畳された多重化データ信号が伝送される伝送線路上に設けられ、前記多重化データ信号から前記高周波信号及び前記低周波信号を分岐させる信号分岐器であって、
前記伝送線路は、終端抵抗で終端される２線で構成され、
前記２線にそれぞれ接続され前記多重化データ信号が平衡伝送される一対の信号分岐用トランスを備え、前記一対の信号分岐用トランスは、前記高周波信号に対しては一方向、前記低周波信号に対しては双方向で伝送する方向性結合器を構成し、
前記高周波信号は、前記トランスの巻数比で設定されるカップリング量に対応したレベルの信号で分岐され、
前記低周波信号は、前記トランスの巻線を経由して前記方向性結合器の接地端子から分岐されることを特徴とする信号分岐器。
【発明の詳細な説明】
【技術分野】
【０００１】
本発明は、映像データの撮像機能及び出画機能や音声データの送受信機能等を有する例えば、集合住宅インターホンシステムに備えられる信号分岐器に係り、特に、映像データ等の高周波信号及び音声データ等の低周波信号が重畳された多重化データ信号から当該高周波信号及び当該低周波信号を分岐させる信号分岐器に関する。
【背景技術】
【０００２】
従来から、図３の回路構成図に示すように、映像データ等の高周波信号及び音声データ等の低周波信号が重畳された多重化データ信号が伝送される２線の伝送線路Ｌ100上に設けられ、この多重化データ信号から高周波信号及び低周波信号を分岐させる信号分岐器１００が提案されている。
【０００３】
図３に示す信号分岐器１００において、（終端抵抗で終端される）２線の伝送線路Ｌ100を経由して伝送され信号源部１１０に現れる多重化データ信号は、信号分岐用トランス１１１及び所定のコンデンサ１１２を経由することで高周波信号が分岐された後、高周波信号出力部１１３に送出される一方、低周波信号が有する周波数帯域のみを通過させる一対のフィルタ１１４、１１５を経由することで低周波信号が分岐された後、低周波信号入出力部１１６に送出される。
【０００４】
なお、前述のように多重化データ信号から低周波信号を分岐させるにあたり、フィルタ１１４、１１５を適用する技術は、特許文献１の受信機／ＬＡＮ信号入出力ユニットに開示されている。
【先行技術文献】
【特許文献】
【０００５】
【特許文献１】特開平１１−２５１８５９号公報
【発明の概要】
【発明が解決しようとする課題】
【０００６】
しかしながら、背景技術に記載した図３に示す信号分岐器１００によれば、映像データ等の高周波信号及び音声データ等の低周波信号が重畳された多重化データ信号から当該高周波信号及び当該低周波信号を分岐させるにあたって、低周波信号が有する周波数帯域のみを通過させるフィルタ１１４、１１５が必要とされ、このフィルタ１１４、１１５によれば、高周波信号が有する周波数帯域の出力を遮断するような高機能の当該フィルタであるため、これに起因して信号分岐器１００の部品点数が増え、安価・小型に構成できない難点があった。
【０００７】
本発明は、この難点を解消するためになされたもので、映像データ等の高周波信号及び音声データ等の低周波信号が重畳された多重化データ信号から当該高周波信号及び当該低周波信号を分岐させるにあたり、回路構成を簡素化させてコストの低減及び小型化が可能な信号分岐器を提供することを目的としている。
【課題を解決するための手段】
【０００８】
前述の目的を達成するため、本発明の第１の態様である信号分岐器は、映像データ等の高周波信号及び音声データ等の低周波信号が重畳された多重化データ信号が伝送される伝送線路上に設けられ、多重化データ信号から高周波信号及び低周波信号を分岐させるものであって、伝送線路は、終端抵抗で終端される２線で構成され、２線にそれぞれ接続され多重化データ信号が平衡伝送される一対の信号分岐用トランスを備え、一対の信号分岐用トランスは、高周波信号に対しては一方向、低周波信号に対しては双方向で伝送する方向性結合器を構成している。高周波信号は、トランスの巻数比で設定されるカップリング量に対応したレベルの信号で分岐されるものである。低周波信号は、トランスの巻線を経由して方向性結合器のアイソレーション端子から分岐されるものである。
【０００９】
この態様の信号分岐器によれば、終端抵抗で終端される２線の伝送線路を経由して伝送されてくる、映像データ等の高周波信号及び音声データ等の低周波信号が重畳された多重化データ信号から当該高周波信号及び当該低周波信号を分岐させるにあたり、２線にそれぞれ接続され多重化データ信号が平衡伝送される一対の信号分岐用トランスを方向性結合器で構成することによって、高周波信号は、トランスの巻数比で設定されるカップリング量に対応したレベルの信号で分岐できる一方、低周波信号は、トランスの巻線を経由して方向性結合器のアイソレーション端子から分岐させることができる。したがって、背景技術と比較するにあたり、信号分岐器の回路構成を簡素化することができ、コストの低減及び小型化が可能となる。
【００１０】
また、本発明の第２の態様である信号分岐器は、映像データ等の高周波信号及び音声データ等の低周波信号が重畳された多重化データ信号が伝送される伝送線路上に設けられ、多重化データ信号から高周波信号及び低周波信号を分岐させるものであって、伝送線路は、終端抵抗で終端される２線で構成され、２線にそれぞれ接続され多重化データ信号が平衡伝送される一対の信号分岐用トランスを備え、一対の信号分岐用トランスは、高周波信号に対しては一方向、低周波信号に対しては双方向で伝送する方向性結合器を構成している。高周波信号は、トランスの巻数比で設定されるカップリング量に対応したレベルの信号で分岐されるものである。低周波信号は、トランスの巻線を経由して方向性結合器の接地端子から分岐されるものである。
【００１１】
この態様の信号分岐器によれば、終端抵抗で終端される２線の伝送線路を経由して伝送されてくる、映像データ等の高周波信号及び音声データ等の低周波信号が重畳された多重化データ信号から当該高周波信号及び当該低周波信号を分岐させるにあたり、２線にそれぞれ接続され多重化データ信号が平衡伝送される一対の信号分岐用トランスを方向性結合器で構成することによって、高周波信号は、トランスの巻数比で設定されるカップリング量に対応したレベルの信号で分岐できる一方、低周波信号は、トランスの巻線を経由して方向性結合器の接地端子から分岐させることができる。したがって、背景技術と比較するにあたり、信号分岐器の回路構成を簡素化することができ、コストの低減及び小型化が可能となる。
【発明の効果】
【００１２】
本発明の信号分岐器によれば、映像データ等の高周波信号及び音声データ等の低周波信号が重畳された多重化データ信号から当該高周波信号及び当該低周波信号を分岐させるにあたり、回路構成の簡素化によるコストの低減及び小型化が可能となる。
【図面の簡単な説明】
【００１３】
【図１】図１は、本発明の第１、第２の実施例による信号分岐器を備えた集合住宅インターホンシステムの全体構成を示すシステム説明図。
【図２】図２（Ａ）は、本発明の第１の実施例による信号分岐器の具体的な構成を示す電気回路図である。また、図２（Ｂ）は、本発明の第２の実施例による信号分岐器の具体的な構成を示す電気回路図である。
【図３】図３は、従来例による信号分岐器の具体的な構成を示す電気回路図である。
【発明を実施するための形態】
【００１４】
以下、本発明の信号分岐器を適用した実施の形態例について、図面を参照して説明する。
【００１５】
図１は、本発明の第１、第２の実施例による信号分岐器が備えられる集合住宅インターホンシステムの全体構成を示すシステム説明図であって、例えば、マンション等の集合住宅に設置されるものである。この集合住宅インターホンシステムは、集合住宅の集合玄関（エントランス）に設置される集合玄関機１と、集合住宅の複数の住戸、ここでは、２０１号室、２０２号室、・・・のような複数の住戸の住戸玄関にそれぞれ設置される玄関子機２、２、・・・と、複数の住戸の住戸内に設置され集合玄関機１又は住戸内ラインＬ3、Ｌ3、・・・を経由して接続される自住戸の玄関子機２、２、・・・からの呼出しに応答して音声データを送受信することで通話を成立させるとともに集合玄関機１及び（自住戸の）玄関子機２、２、・・・のうち少なくとも集合玄関機１で生成される映像データを出画する居室親機３、３、・・・と、集合玄関ラインＬ1を経由して接続される集合玄関機１、住戸幹線ラインＬ2を経由して接続される居室親機３、３、・・・をそれぞれ制御する制御機４と、住戸幹線ラインＬ2を分岐させて居室親機３、３、・・・に接続される住戸分岐ラインＬ4、Ｌ4、・・・に接続する信号分岐器５ａ、５ａ、・・・、５ｂ、５ｂ、・・・とを有している。
【００１６】
ここで、信号分岐器５ａ、５ａ、・・・とは第１の実施例で適用される当該信号分岐器であって、信号分岐器５ｂ、５ｂ、・・・とは第２の実施例で適用される当該信号分岐器である。
【００１７】
また、前述の集合玄関ラインＬ1、住戸幹線ラインＬ2、住戸内ラインＬ3、Ｌ3、・・・及び住戸分岐ラインＬ4、Ｌ4、・・・のうち、少なくとも集合玄関ラインＬ1、住戸幹線ラインＬ2、住戸内ラインＬ3、Ｌ3、・・・は２線の伝送線路で構成され、住戸幹線ラインＬ2によれば、その最下流には終端抵抗６が接続されている。
【００１８】
集合玄関機１には、玄関機操作部１０、玄関機撮像部１１及び玄関機通話部１２が備えられている。ここで、玄関機操作部１０は、集合玄関に居る来訪者が特定の住戸内に在室中の居住者を呼出すための操作を行うものであり、例えば、テンキーボタン１００や呼出ボタン１０１で構成されている。また、玄関機撮像部１１は、玄関機操作部１０（１００、１０１）で呼出操作を行った来訪者の映像や集合玄関の周囲近傍の映像を撮像し、所定の信号処理として例えば、ＦＭ変調された高周波信号の映像データを生成するものであり、例えば、ＣＣＤ、ＣＭＯＳ等の各種の映像撮像媒体で構成されている。さらに、玄関機通話部１２は、来訪者が呼出先である特定の居住者との間で通話を成立させるにあたって、所定の信号処理として例えば、ベースバンド方式で低周波信号の音声データを送受信するものであり、例えば、マイク１２０及びスピーカ１２１で構成されている。
【００１９】
玄関子機２、２、・・・はそれぞれ同様な構成であって、子機操作部２０、子機撮像部２１及び子機通話部２２が備えられている。ここで、子機操作部２０は、住戸玄関に居る来訪者が住戸内に在室中の居住者を呼出すための操作を行うものであり、例えば、呼出ボタン２００で構成されている。また、子機撮像部２１は、子機操作部２０（２００）で呼出操作を行った来訪者の映像や住戸玄関の周囲近傍の映像を撮像して映像データを生成するものであり、例えば、ＣＣＤ、ＣＭＯＳ等の各種の映像撮像媒体で構成されている。さらに、子機通話部２２は、来訪者が呼出先である居住者との間で通話を成立させるための音声データを送受信するものであり、マイク２２０及びスピーカ２２１で構成されている。
【００２０】
居室親機３、３、・・・はそれぞれ同様な構成であって、親機表示部３０、親機通話部３１及び親機操作部３２が備えられている。ここで、親機表示部３０は、集合玄関機１又は（自住戸の）玄関子機２、２、・・・を使用した来訪者からの呼出しがあることを表示するとともに、集合玄関機１の玄関機撮像部１１及び（自住戸の）玄関子機２、２、・・・の子機撮像部２１で生成される映像データを出画するものであって、例えば、ＬＣＤ、有機ＥＬディスプレイ等のモニタ３００で構成されている。また、親機通話部３１は、当該居室親機の使用者である居住者が呼出元である来訪者との間で通話を成立させるための音声データを送受信するものであり、マイク３１０及びスピーカ３１１で構成され、このスピーカ３１１によれば呼出報知機能も有している。さらに、親機操作部３２は、当該居室親機の使用者である居住者が来訪者からの呼出しに応答して通話を成立させるための応答操作、成立中の通話を終了させるための終話操作等を行うものであり、例えば、各種の操作ボタン３２０やこれらの操作機能を有するタッチパネル３２１で構成されている。なお、親機表示部３０としては、呼出報知機能を有する例えば、ＬＥＤ等の表示灯３０１を備えることができ、親機通話部３１についても、ハンドセット（図示せず）を備えることができる。
【００２１】
なお、居室親機３、３、・・・によれば、親機操作部３２（３２０、３２１）で応答操作が行われたときに生成される応答データを、前述の音声データと同様にベースバンド方式の低周波信号で送出することができるばかりでなく、集合玄関機１からベースバンド方式の低周波信号で伝送されてくる例えば、呼出しのための制御データを受信することができる。
【００２２】
次に、（第１の実施例で適用される）信号分岐器５ａ、５ａ、・・・の具体的な構成について、図２（Ａ）の電気回路図を参照して説明する。
【００２３】
図２（Ａ）に示す信号分岐器５ａ、５ａ、・・・には、信号源部５０ａ、一対の出力インピーダンス抵抗（以下、第１、第２の出力インピーダンス抵抗という）５１ａ、５２ａ、一対の信号分岐用トランス（以下、第１、第２の信号分岐用トランスという）５３ａ、５４ａ、マッチング抵抗５５ａ、低周波数信号通過阻止用コンデンサ（以下、第１乃至第４のコンデンサという）５６ａ、５７ａ、５８ａ、５９ａ、高周波信号出力部６０ａ及び低周波信号入出力部６１ａが備えられている。
【００２４】
この信号分岐器５ａ、５ａ、・・・において、信号源部５０ａは、住戸幹線ラインＬ2を構成する２線の伝送線路を経由して伝送されてくる、映像データ等の高周波信号及び音声データ等の低周波信号が重畳された多重化データ信号が模式的に現れるものであって、信号源部５０ａの出力インピーダンスを示す第１、第２の出力インピーダンス抵抗５１ａ、５２ａは、当該信号源部に並列接続されている。また、マッチング抵抗５５ａは、信号源部５０ａの出力インピーダンスに対応させた値で当該インピーダンスのマッチングを得るものである。
【００２５】
第１乃至第４のコンデンサ５６ａ、５７ａ、５８ａ、５９ａはそれぞれ、自コンデンサの入力信号が有する周波数帯域のうち低周波数帯域の通過を阻止するにあたり、低周波帯域のインピーダンスが高い一方、高周波帯域ではそのインピーダンスが無視できる値に設定されている。
【００２６】
第１、第２の信号分岐用トランス５３ａ、５４ａは、住戸幹線ラインＬ2を構成する２線の伝送線路にそれぞれ接続され信号源部５０ａからの多重化データ信号が平衡伝送されるものであって、高周波信号に対しては一方向、低周波信号に対しては双方向で伝送する方向性結合器Ａを構成している。
【００２７】
すなわち、高周波信号については、信号分岐器５ａの信号源部５０ａから第１の出力インピーダンス抵抗５１ａ、第１の信号分岐用トランス５３ａ、第１のコンデンサ５６ａ、第２の信号分岐用トランス５４ａ、第２のコンデンサ５７ａを経由して高周波信号出力部６０ａまでの高周波信号用分岐ライン（以下、第１の高周波信号用分岐ラインという）と、信号源部５０ａから第２の出力インピーダンス抵抗５２ａ、第２の信号分岐用トランス５４ａ、第１のコンデンサ５６ａ、第１の信号分岐用トランス５３ａ、第３のコンデンサ５８ａを経由して高周波信号出力部６０ａまでの高周波信号用分岐ライン（以下、第２の高周波信号用分岐ラインという）とをそれぞれ形成することで、第１、第２の信号分岐用トランス５３ａ、５４ａの巻数比で設定されるカップリング量に対応したレベルの信号で分岐された後、高周波信号出力部６０ａに送出される。なお、高周波信号出力部６０ａには、（居室親機３、３、・・・に接続される）住戸分岐ラインＬ4、Ｌ4、・・・が接続されている。
【００２８】
また、低周波信号については、信号分岐器５ａの信号源部５０ａから第１の出力インピーダンス抵抗５１ａ、第１の信号分岐用トランス５３ａを経由して低周波信号入出力部６１ａまでの低周波用信号分岐ライン（以下、第１の低周波信号用分岐ラインという）と、信号源部５０ａから第２の出力インピーダンス抵抗５２ａ、第２の信号分岐用トランス５４ａを経由して低周波信号入出力部６１ａまでの低周波用信号分岐ライン（以下、第２の低周波信号用分岐ラインという）とをそれぞれ形成することで、これら第１、第２の低周波信号用分岐トランス５３ａ、５４ａに接続される、（直列接続された）マッチング抵抗５５ａ及び第４のコンデンサ５９ａの組合わせであって方向性結合器Ａのアイソレーション端子から分岐された後、低周波信号入出力部６１ａに送出される。なお、低周波信号入出力部６１ａには、（居室親機３、３、・・・に接続される）住戸分岐ラインＬ4、Ｌ4、・・・が接続されている。
【００２９】
次に、（第２の実施例で適用される）信号分岐器５ｂ、５ｂ、・・・の具体的な構成について、図２（Ｂ）の電気回路図を参照して説明する。
【００３０】
図２（Ｂ）に示す信号分岐器５ｂ、５ｂ、・・・には、信号源部５０ｂ、一対の出力インピーダンス抵抗（第１、第２の出力インピーダンス抵抗）５１ｂ、５２ｂ、一対の信号分岐用トランス（第１、第２の信号分岐用トランス）５３ｂ、５４ｂ、低周波信号通過阻止用コンデンサ（第１乃至第３のコンデンサという）５５ｂ、５６ｂ、５７ｂ、高周波信号出力部５８ｂ及び低周波信号入出力部５９ｂが備えられている。
【００３１】
この信号分岐器５ｂにおいて、信号源部５０ｂは、住戸幹線ラインＬ2を構成する２線の伝送線路を経由して伝送されてくる、映像データ等の高周波信号及び音声データ等の低周波信号が重畳された多重化データ信号が模式的に現れるものであって、信号源部５０ｂの出力インピーダンスを示す第１、第２の出力インピーダンス抵抗５１ｂ、５２ｂは、当該信号源部に並列接続されている。
【００３２】
第１乃至第３のコンデンサ５５ｂ、５６ｂ、５７ｂはそれぞれ、自コンデンサの入力信号が有する周波数帯域のうち低周波数帯域の通過を阻止するにあたり、低周波帯域のインピーダンスが高い一方、高周波帯域ではそのインピーダンスが無視できる値に設定されている。
【００３３】
第１、第２の信号分岐用トランス５３ｂ、５４ｂは、住戸幹線ラインＬ2を構成する２線の伝送線路にそれぞれ接続され信号源部５０ｂからの多重化データ信号が平衡伝送されるものであって、高周波信号に対しては一方向、低周波信号に対しては双方向で伝送する方向性結合器Ｂを構成している。
【００３４】
すなわち、高周波信号については、信号分岐器５ｂの信号源部５０ｂから第１の出力インピーダンス抵抗５１ｂ、第１の信号分岐用トランス５３ｂ、第１のコンデンサ５５ｂ、第２の信号分岐用トランス５４ｂ、第２のコンデンサ５６ｂを経由して高周波信号出力部５８ｂまでの高周波信号用分岐ライン（以下、第３の高周波信号用分岐ラインという）と、信号源部５０ｂから第２の出力インピーダンス抵抗５２ｂ、第２の信号分岐用トランス５４ｂ、第１のコンデンサ５５ｂ、第１の信号分岐用トランス５３ｂ、第３のコンデンサ５７ｂを経由して高周波信号出力部５８ｂまでの高周波信号用分岐ライン（以下、第４の高周波信号用分岐ラインという）とをそれぞれ形成することで、第１、第２の信号分岐用トランス５３ｂ、５４ｂの巻数比で設定されるカップリング量に対応したレベルの信号で分岐された後、高周波信号出力部５８ｂに送出される。なお、高周波信号出力部５８ｂには、（居室親機３、３、・・・に接続される）住戸分岐ラインＬ4、Ｌ4、・・・が接続されている。
【００３５】
また、低周波信号については、信号分岐器５ｂの信号源部５０ｂから第１の出力インピーダンス抵抗５１ｂ、第１の信号分岐用トランス５３ｂを経由して低周波信号入出力部５９ｂまでの低周波用信号分岐ライン（以下、第３の低周波信号用分岐ラインという）と、信号源部５０ｂから第２の出力インピーダンス抵抗５２ｂ、第２の信号分岐用トランス５４ｂを経由して低周波信号入出力部５９ｂまでの低周波用信号分岐ライン（以下、第４の低周波信号用分岐ラインという）とをそれぞれ形成することで、方向性結合器Ｂの接地端子から分岐された後、低周波信号入出力部５９ｂに送出される。なお、低周波信号入出力部５９ｂには、（居室親機３、３、・・・に接続される）住戸分岐ラインＬ4、Ｌ4、・・・が接続されている。
【００３６】
なお、前述のような構成の信号分岐器５ａ、５ａ、・・・、５ｂ、５ｂ、・・・によれば、第１、第２の信号分岐用トランス５３ａ、５４ａ、５３ｂ、５４ｂが方向性結合器Ａ、Ｂで構成されているため、終端抵抗６からの信号（反射信号）が入力された場合であっても、この信号が高周波信号出力部６０ａ、５８ｂに送出されることはない。
【００３７】
このように構成された本発明の第１、第２の実施例による信号分岐器５ａ、５ａ、・・・・、５ｂ、５ｂ、・・・を有する集合住宅インターホンシステムにおいて、以下、具体的な動作について説明する。
【００３８】
第１、第２の実施例における共通の動作として、集合玄関に居る来訪者が、複数の住戸のうち、ここでは、２０１号室内に在室中の居住者を呼出すにあたり、図１に示す集合玄関機１の玄関機操作部１０（１００、１０１）を使用して所定の呼出操作を行うと、２０１号室を指定するための住戸アドレス、呼出元である集合玄関機１を示す玄関機アドレス及び呼出しがある旨の低周波信号の呼出データと、玄関機撮像部１１で生成された高周波信号の映像データを所定のスロット（図示せず）挿入させた下り方向の伝送フレームを有する多重化データ信号（以下、呼出時多重化データ信号という）が生成される。この呼出時多重化データ信号は（変調信号であって）、集合玄関機１から集合玄関ラインＬ1、制御機４、住戸分岐ラインＬ2を経由してマルチキャストで伝送され、図２（Ａ）、（Ｂ）に示す信号分岐器５ａ、５ａ、・・・、５ｂ、５ｂ、・・・の信号源部５０ａ、５０ｂに現れる。
【００３９】
ここで、第１の実施例で適用される図２（Ａ）に示す信号分岐器５ａ、５ａ、・・・によれば、信号源部５０ａから第１の出力インピーダンス抵抗５１ａ、第１の信号分岐用トランス５３ａ、第１のコンデンサ５６ａ、第２の信号分岐用トランス５４ａ、第２のコンデンサ５７ａを経由して高周波信号出力部６０ａまでの高周波信号用分岐ライン（第１の高周波信号用分岐ライン）と、信号源部５０ａから第２の出力インピーダンス抵抗５２ａ、第２の信号分岐用トランス５４ａ、第１のコンデンサ５６ａ、第１の信号分岐用トランス５３ａ、第３のコンデンサ５８ａを経由して高周波信号出力部６０ａまでの高周波信号用分岐ライン（第２の高周波信号用分岐ライン）と、信号源部５０ａから第１の出力インピーダンス抵抗５１ａ、第１の信号分岐用トランス５３ａを経由して低周波信号入出力部６１ａまでの低周波用信号分岐ライン（第１の低周波信号用分岐ライン）と、信号源部５０ａから第２の出力インピーダンス抵抗５２ａ、第２の信号分岐用トランス５４ａを経由して低周波信号入出力部６１ａまでの低周波用信号分岐ライン（第２の低周波信号用分岐ライン）とがそれぞれ形成されるため、前述の第１、第２の高周波信号用分岐ラインを経由した呼出時多重化データ信号に含まれている高周波信号の映像データは、これらトランス５３ａ、５４ａの巻数比で設定されるカップリング量に対応したレベルの信号で分岐された後、高周波信号出力部６０ａから住戸分岐ラインＬ4、Ｌ4、・・・を経由して図１に示す居室親機３、３、・・・に伝送されることになる。
【００４０】
また、前述の第１、第２の低周波信号用分岐ラインを経由した呼出時多重化データ信号に含まれている低周波信号の呼出データは、方向性結合器Ａのアイソレーション端子である、直列接続されたマッチング抵抗５５ａ及び第４のコンデンサ５９ａで分岐された後、高周波信号出力部６０ａから住戸分岐ラインＬ4、Ｌ4、・・・を経由して図１に示す居室親機３、３、・・・に伝送されることになる。
【００４１】
一方、第２の実施例で適用される図２（Ｂ）に示す信号分岐器５ｂ、５ｂ、・・・によれば、信号源部５０ｂから第１の出力インピーダンス抵抗５１ｂ、第１の信号分岐用トランス５３ｂ、第１のコンデンサ５５ｂ、第２の信号分岐用トランス５４ｂ、第２のコンデンサ５６ｂを経由して高周波信号出力部５８ｂまでの高周波信号用分岐ライン（第３の高周波信号用分岐ライン）と、信号源部５０ｂから第２の出力インピーダンス抵抗５２ｂ、第２の信号分岐用トランス５４ｂ、第１のコンデンサ５５ｂ、第１の信号分岐用トランス５３ｂ、第３のコンデンサ５７ｂを経由して高周波信号出力部５８ｂまでの高周波信号用分岐ライン（第４の高周波信号用分岐ライン）と、信号源部５０ｂから第１の出力インピーダンス抵抗５１ｂ、第１の信号分岐用トランス５３ｂを経由して低周波信号入出力部５９ｂまでの低周波用信号分岐ライン（第３の低周波信号用分岐ライン）と、信号源部５０ｂから第２の出力インピーダンス抵抗５２ｂ、第２の信号分岐用トランス５４ｂを経由して低周波信号入出力部５９ｂまでの低周波用信号分岐ライン（第４の低周波信号用分岐ライン）とがそれぞれ形成されるため、前述の第３、第４の高周波信号用分岐ラインを経由した呼出時多重化データ信号に含まれている高周波信号の映像データは、これらトランス５３ｂ、５４ｂの巻数比で設定されるカップリング量に対応したレベルの信号で分岐された後、高周波信号出力部５８ｂから住戸分岐ラインＬ4、Ｌ4、・・・を経由して図１に示す居室親機３、３、・・・に伝送されることになる。
【００４２】
また、前述の第３、第４の低周波信号用分岐ラインを経由した呼出時多重化データ信号に含まれている低周波信号の呼出データは、方向性結合器Ｂの接地端子で分岐された後、低周波信号入出力部５９ｂから住戸分岐ラインＬ4、Ｌ4、・・・を経由して図１に示す居室親機３、３、・・・に伝送されることになる。
【００４３】
居室親機３、３、・・・は、住戸分岐ラインＬ4、Ｌ4、・・・を経由して伝送されてきた呼出データ及び映像データのうち、この呼出データに含まれている住戸アドレスと自機器が有する住戸アドレスとを比較し、一致した場合にのみ玄関機アドレスに該当する集合玄関機１を使用した集合玄関に居る来訪者からの呼出しがあることを、親機表示部３０（モニタ３００、表示灯３０１）及び親機通話部３１のスピーカ３１０を使用して呼出報知（呼出表示、呼出発報）するとともに、モニタ３００が出画可能な状態である場合には映像データを出画させることができる。ここでは、住戸アドレスが一致する、２０１号室内に設置された居室親機３のみ前述の呼出報知（呼出表示、呼出発報）及び映像出画が行われる。
【００４４】
この後、前述のような呼出報知（呼出表示、呼出発報）及び映像出画をもとに、集合玄関に居る来訪者からの呼出しがあり、この来訪者を映像とともに確認した２０１号室内に在室中の居住者が、図１に示す居室親機３の親機操作部３２（３２０、３２１）を使用して所定の応答操作を行うと、居住者が使用する親機通話部３１のマイク３１０及びスピーカ３１１と住戸分岐ラインＬ4間の信号伝送路、すなわち、双方向の通話路が形成されるとともに、呼出元である集合玄関機１を指定するための玄関機アドレス、応答元である２０１号室内の居室親機３を示す住戸アドレス及び応答したことを示す低周波信号の応答データと、マイク３１０に入力された居住者の音声であってベースバンド方式で低周波信号の音声データを所定のスロット（図示せず）に挿入させた上り方向の伝送フレームを有する通話時多重化データ信号が生成される。この通話時多重化データ信号は、居室親機３から住戸分岐ラインＬ4を経由して図２（Ａ）、（Ｂ）に示す（２０１号室用の）信号分岐器５ａ、５ｂの高周波信号出力部６０ａ、５８ｂ及び低周波信号入出力部６１ａ、５９ｂにそれぞれ入力される。
【００４５】
ここで、第１の実施例で適用される図２（Ａ）に示す信号分岐器５ａによれば、低周波信号入出力部６１ａに入力された通話時多重化データ信号を、前述の呼出時多重化データ信号の信号伝送路とは逆方向で第１、第２の低周波信号分岐ラインを伝送させ、住戸幹線ラインＬ2、図１に示す制御機４、集合玄関ラインＬ1を経由して集合玄関機１に送出する。なお、高周波信号出力部６０ａは、入力された通話時多重化データ信号の出力は停止されており、仮に出力した場合であっても、第３、第４のコンデンサ５７ａ、５８ａの作用により、上流側への信号出力は停止される。
【００４６】
一方、第２の実施例で適用される図２（Ｂ）に示す信号分岐器５ｂについても、低周波信号入出力部６０ｂに入力された通話時多重化データ信号を、前述の呼出時多重化データ信号の信号伝送路とは逆方向で第３、第４の低周波信号分岐ラインを伝送させ、住戸幹線ラインＬ2、図１に示す制御機４、集合玄関ラインＬ1を経由して集合玄関機１に送出する。なお、高周波信号出力部５８ｂについても前述の高周波信号出力部６０ａと同様、入力された通話時多重化データ信号の出力は停止されており、仮に出力した場合であっても、第２、第３のコンデンサ５６ｂ、５７ｂの作用により、上流側への信号出力は停止される。
【００４７】
集合玄関機１は、２０１号室内の居室親機３より伝送されてきた応答通話時多重化データ信号を受信すると、この信号に係る上り方向の伝送フレームを検出した後、玄関機通話部１２のマイク１２０及びスピーカ１２１が能動、すなわち、通話機能が能動となるように制御することで、このスピーカ１２１から居住者の音声データが出力される。
【００４８】
この後、集合玄関に居る来訪者が、集合玄関機１の玄関機通話部１２のマイク１２０で音声データを入力すると、２０１号室を指定するための住戸アドレス、音声送出元である集合玄関機１を示す玄関機アドレスを含む低周波信号の制御データと、マイク１２０で入力されたベースバンド方式で低周波信号の音声データを所定のスロット（図示せず）挿入させた下り方向の伝送フレームを有する多重化データ信号（以下、通話時多重化データ信号という）が生成される。この通話時多重化データ信号は、前述の呼出時多重化データ信号と同様な信号伝送路を経由して伝送され、図２（Ａ）、（Ｂ）に示す信号分岐器５ａ、５ａ、・・・、５ｂ、５ｂ、・・・の信号源部５０ａ、５０ｂに現れる。
【００４９】
ここで、第１の実施例で適用される図２（Ａ）に示す信号分岐器５ａ、５ａ、・・・によれば、信号源部５０ａから第１の出力インピーダンス抵抗５１ａ、第１の信号分岐用トランス５３ａを経由して低周波信号入出力部６１ａまでの低周波用信号分岐ライン（第１の低周波信号用分岐ライン）と、信号源部５０ａから第２の出力インピーダンス抵抗５２ａ、第２の信号分岐用トランス５４ａを経由して低周波信号入出力部６１ａまでの低周波用信号分岐ライン（第２の低周波信号用分岐ライン）とがそれぞれ形成されているため、前述の第１、第２の低周波信号用分岐ラインを経由した通話時多重化データ信号に含まれている低周波信号の制御データ及び音声データは、方向性結合器Ａのアイソレーション端子である、直列接続されたマッチング抵抗５５ａ及び第４のコンデンサ５９ａで分岐された後、低周波信号入出力部６１ａから住戸分岐ラインＬ4、Ｌ4、・・・を経由して居室親機３、３、・・・に伝送されることになる。
【００５０】
一方、第２の実施例で適用される図２（Ｂ）に示す信号分岐器５ｂ、５ｂ、・・・によれば、信号源部５０ｂから第１の出力インピーダンス抵抗５１ｂ、第１の信号分岐用トランス５３ｂを経由して低周波信号入出力部５９ｂまでの低周波用信号分岐ライン（第３の低周波信号用分岐ライン）と、信号源部５０ｂから第２の出力インピーダンス抵抗５２ｂ、第２の信号分岐用トランス５４ｂを経由して低周波信号入出力部５９ｂまでの低周波用信号分岐ライン（第４の低周波信号用分岐ライン）とがそれぞれ形成されるため、前述の第３、第４の低周波信号用分岐ラインを経由した通話時多重化データ信号に含まれている低周波信号の制御データ及び音声データは、方向性結合器Ｂの接地端子で分岐された後、低周波信号入出力部５９ｂから住戸分岐ラインＬ4、Ｌ4、・・・を経由して居室親機３、３、・・・に伝送されることになる。
【００５１】
居室親機３、３、・・・は、住戸分岐ラインＬ4、Ｌ4、・・・を経由して伝送されてきた制御データ及び音声データのうち、制御データに含まれている住戸アドレスと自機器が有する住戸アドレスとを比較し、一致した場合にのみ同様に受信した音声データを親機通話部３１のスピーカ３１１から出力させることができる。ここでは、住戸アドレスが一致する、呼出応答した居住者が在室中の２０１号室内の居室親機３のみ来訪者の音声データがスピーカ３１１から出力される。したがって、２０１号室内に在室中の居住者によれば、集合玄関に居る来訪者との間で成立される通話を、来訪者の映像を確認しながら行うことができる。
【００５２】
なお、前述までの動作によれば、居住者による応答時において居室親機３で生成される通話時多重化データ信号に音声データを含めていたが、この態様に限定されるものではない。例えば、通話時多重化データ信号には応答データのみを含めて集合玄関機１に送出し、その後のタイミングのフレームで居室親機３から送出される多重化データ信号に音声データを含めて集合玄関機１に送出させてもよい。
【００５３】
前述までの説明から明らかなように、本発明の第１の実施例で適用された図２（Ａ）に示す信号分岐器５ａ、５ａ、・・・によれば、終端抵抗６で終端される２線の伝送線路（住戸幹線ライン）Ｌ2を経由して（集合玄関機１から）伝送されてくる、映像データ等の高周波信号及び音声データ等の低周波信号が重畳された多重化データ信号（呼出時多重化データ信号、通話時多重化データ信号）から当該高周波信号及び当該低周波信号を分岐させるにあたり、２線にそれぞれ接続され多重化データ信号が平衡伝送される一対の信号分岐用トランス５３ａ、５４ａを方向性結合器Ａで構成することによって、高周波信号は、トランス５３ａ、５４ａの巻数比で設定されるカップリング量に対応したレベルの信号で分岐できる一方、低周波信号は、トランス５３ａ、５４ａの巻線を経由して方向性結合器Ａのアイソレーション端子から分岐させることができる。したがって、背景技術と比較するにあたり、信号分岐器５ａ、５ａ、・・・の回路構成を簡素化することができ、コストの低減及び小型化が可能となる。
【００５４】
一方、本発明の第２の実施例で適用された図２（Ｂ）に示す信号分岐器５ｂ、５ｂ、・・・によれば、終端抵抗６で終端される２線の伝送線路（住戸幹線ライン）Ｌ2を経由して（集合玄関機１から）伝送されてくる、映像データ等の高周波信号及び音声データ等の低周波信号が重畳された多重化データ信号（呼出時多重化データ信号、通話時多重化データ信号）から当該高周波信号及び当該低周波信号を分岐させるにあたり、２線にそれぞれ接続され多重化データ信号が平衡伝送される一対の信号分岐用トランス５３ｂ、５４ｂを方向性結合器Ｂで構成することによって、高周波信号は、トランス５３ｂ、５４ｂの巻数比で設定されるカップリング量に対応したレベルの信号で分岐できる一方、低周波信号は、トランス５３ｂ、５４ｂの巻線を経由して方向性結合器Ｂの接地端子から分岐させることができる。したがって、背景技術と比較するにあたり、信号分岐器５ｂ、５ｂ、・・・の回路構成を簡素化することができ、コストの低減及び小型化が可能となる。
【００５５】
なお、本発明の信号分岐器においては、特定の実施の形態をもって説明してきたが、この形態に限定されるものでなく、本発明の効果を奏する限り、これまで知られた如何なる構成の当該信号分岐器であっても採用できるということはいうまでもないことである。例えば、マンション等の集合住宅向けのインターホンシステム（集合住宅インターホンシステム）に備える態様のみならず、学校等の公共施設向けのインターホンシステム等に備えることもできる。
【符号の説明】
【００５６】
５ａ、５ａ、・・・、５ｂ、５ｂ、・・・……信号分岐器
５３ａ、５４ａ、５３ｂ、５４ｂ……一対の信号分岐用トランジスタ
Ａ、Ｂ……方向性結合器
６……終端抵抗
Ｌ2……住戸幹線ライン（２線の伝送線路）
【図１】
2014195219.tif 000003
【図２】
2014195219.tif 000004
【図３】
2014195219.tif 000005